(57)【特許請求の範囲】
【請求項１】
撮像部と、
撮像関連情報を生成する生成部と、
前記撮像部によって取得された映像信号に前記撮像関連情報を重畳することが可能な映像処理部と、
前記撮像関連情報が重畳されている前記映像信号または前記撮像関連情報が重畳されていない前記映像信号を録画機器へ出力する出力部と、を備える撮像装置であって、
前記録画機器での録画開始指令が指令入力手段から入力された場合、前記撮像関連情報の内容に基づいて前記映像処理部による前記重畳を継続または中止した後に、前記録画開始指令を前記録画機器へ出力する、
ことを特徴とする撮像装置。
【請求項２】
前記撮像関連情報ごとに録画の可否を設定する設定手段を有し、
前記録画機器での録画開始指令が前記指令入力手段から入力された場合、前記設定手段の前記設定に基づいて前記映像処理部による前記重畳を継続または中止した後に、前記録画開始指令を前記録画機器へ出力する、
ことを特徴とする請求項１に記載の撮像装置。
【請求項３】
撮像部と、
撮像関連情報を生成する生成部と、
前記撮像部によって取得された映像信号に前記撮像関連情報を重畳することが可能な映像処理部と、
前記撮像関連情報が重畳されている前記映像信号または前記撮像関連情報が重畳されていない前記映像信号を録画機器へ出力する出力部と、を備える撮像装置であって、
前記出力部は、前記映像信号をシリアルデジタル信号に変換し、
前記録画機器での録画開始指令が指令入力手段から入力された場合、前記映像処理部による前記重畳を中止し、前記録画開始指令及び前記撮像装置の設定値を映像データ以外の領域に含む前記シリアルデジタル信号を前記録画機器へ出力する、
ことを特徴とする撮像装置。
【請求項４】
撮像部と、
撮像関連情報を生成する生成部と、
前記撮像部によって取得された映像信号に前記撮像関連情報を重畳することが可能な映像処理部と、
前記撮像関連情報が重畳されている前記映像信号または前記撮像関連情報が重畳されていない前記映像信号を録画機器へ出力する出力部と、を備える撮像装置であって、
前記録画機器での録画開始指令が指令入力手段から入力された場合、前記映像処理部による前記重畳の可否に関する指令を待ち、前記指令入力手段から前記重畳の可否に関する指令の入力がない場合、前記録画開始指令を前記録画機器へ出力しない、
ことを特徴とする撮像装置。
【請求項５】
前記指令入力手段は、前記撮像装置に備えられた操作部または前記撮像装置と通信可能に接続された外部操作手段であることを特徴とする請求項１乃至４のいずれか１項に記載の撮像装置。
【請求項６】
撮像部と、撮像関連情報を生成する生成部と、前記撮像部によって取得された映像信号に前記撮像関連情報を重畳することが可能な映像処理部と、前記撮像関連情報が重畳されている前記映像信号または前記撮像関連情報が重畳されていない前記映像信号を録画機器へ出力する出力部と、を備える撮像装置と通信し、前記撮像装置を操作するための外部操作器であって、
前記録画機器での録画開始を指令する操作がされた場合、前記重畳を中止させる指令を前記撮像装置へ出力した後に、前記録画機器での録画開始指令を前記撮像装置へ出力する、
ことを特徴とする外部操作器。
【発明の詳細な説明】
【技術分野】
【０００１】
本発明は、撮像装置に外部記憶装置が接続されたシステムにおいて、オンスクリーン中に誤ってオンスクリーン映像を録画してしまうことを防止するための撮像装置及びそれを操作する外部操作器に関するものである。
【背景技術】
【０００２】
一般にテレビ放送局で使用されているテレビカメラは、映像出力のインタフェースとして、ＳＭＰＴＥ（全米映画テレビジョン技術者協会）、ＡＲＩＢ（一般社団法人電波産業会）で規定されているＳＤＩ（シリアルデジタルインターフェース）を採用したカメラが多い。
【０００３】
特許文献１には、ＳＤＩ出力のテレビカメラと映像記録装置を接続して、ＳＤＩの補助データパケットに映像記録装置を制御する制御信号を重畳して、映像記録装置を制御することが開示されている。
【先行技術文献】
【特許文献】
【０００４】
【特許文献１】特許第４２６４６５５号公報
【発明の概要】
【発明が解決しようとする課題】
【０００５】
特許文献１では、テレビカメラ本体の録画開始の操作スイッチを押下すると、ＳＤＩの補助データパケットに映像記録装置の録画を開始する制御信号を重畳して出力する。映像記録装置では、補助データパケットから録画を開始する制御信号を検出し録画を開始する。しかし、テレビカメラが、撮像映像にテレビカメラの操作機能を表示するオンスクリーン表示を行っている場合、誤って録画開始のスイッチが押下されると、オンスクリーン映像が映像記録装置に録画されてしまう。
【０００６】
本発明の目的は、上述の問題点を解消し、オンスクリーン表示中の映像を誤って録画してしまうことを防止する撮像装置を提供することにある。
【課題を解決するための手段】
【０００７】
上記目的を達成するための本発明に係る撮像装置は、撮像部と、撮像関連情報を生成する生成部と、前記撮像部によって取得された映像信号に前記撮像関連情報を重畳することが可能な映像処理部と、前記撮像関連情報が重畳されている前記映像信号または前記撮像関連情報が重畳されていない前記映像信号を録画機器へ出力する出力部と、を備える撮像装置であって、前記録画機器での録画開始指令が指令入力手段から入力された場合、前記撮像関連情報の内容に基づいて前記映像処理部による前記重畳を継続または中止した後に、前記録画開始指令を前記録画機器へ出力する、ことを特徴とする。
【発明の効果】
【０００８】
本発明に係る撮像装置は、オンスクリーン表示中に、誤ってオンスクリーン映像を録画してしまうことを防止する撮像装置を提供することができる。
【図面の簡単な説明】
【０００９】
【図１】実施例１の構成図
【図２】実施例１の補助データパケット構成例
【図３】実施例１のフローチャート
【図４】実施例２の構成図
【図５】実施例２のフローチャート
【図６】実施例３のフローチャート
【図７】実施例３のメッセージ画面表示例
【図８】（ａ）実施例４のメインメニュ表示例、（ｂ）実施例４のカメラ設定メニュ表示例、（ｃ）実施例４のステータス画面表示例、（ｄ）実施例４の日時表示例
【図９】実施例４のフローチャート
【図１０】実施例５の個別設定画面の表示例
【図１１】実施例５のフローチャート
【図１２】実施例６の補助データパケットのＵＤＷの構成例
【発明を実施するための形態】
【００１０】
本発明を図示の実施例に基づいて詳細に説明する。
【実施例１】
【００１１】
図１は、本発明の実施例１に係る撮像装置１００の構成図である。
【００１２】
撮像装置１００は、撮像部１０１、映像信号処理部１０２（映像処理部）、ＣＰＵ１０３、オンスクリーン生成部１０４、映像信号１出力部１０５、映像信号２出力部１０６、通信部１０７（指令入力手段）、操作部１０８（指令入力手段）から構成されている。また、撮像装置１００は、遠隔で撮像装置１００の操作を行うための外部操作器２００が通信部１０７と所定のケーブルで通信可能に接続されている。更に撮像装置１００から出力される映像信号を録画するための外部録画機器３００が映像信号１出力部１０５に同軸ケーブルで接続され、映像信号をモニタ表示する表示器４００が映像信号２出力部１０６に同軸ケーブルで接続されている。本実施例では、映像信号出力部が２系統構成されているが、１系統、または、３系統以上の複数で構成されていても構わない。
【００１３】
本発明の撮像装置１００と外部操作器２００、又は、それに加えて、外部録画機器３００及び表示器４００を含む構成を、本発明の撮像装置１００の効果を享受する撮像システムとしてもよい。
【００１４】
撮像部１０１は、レンズ（不図示）からの光学像をＣＣＤやＣＭＯＳセンサー等の撮像素子（不図示）を介して光電変換し、アナログ信号として出力する。
【００１５】
映像信号処理部１０２は、撮像部１０１からのアナログ信号をデジタル変換し、ゲイン、輝度、色等の所定の画像処理をＣＰＵ１０３（制御部）からの指令信号に応じて調整しデジタル映像信号として映像信号１出力部１０５、映像信号２出力部１０６へ出力する。また、映像信号処理部１０２は、撮像映像に撮像装置の操作機能（撮像関連情報）を表示するオンスクリーン表示のためのオンスクリーン情報（以後、ＯＳＤ情報とも記載する）を後述するオンスクリーン生成部１０４から受信する。そして、撮像映像とともに撮像装置１００の操作機能を表示する文字や記号、アイコン等を撮像部１０１からの映像信号と合成（重畳）する。
【００１６】
映像信号１出力部１０５、映像信号２出力部１０６は、映像信号処理部１０２からのデジタル映像信号を、ＨＤ−ＳＤＩ、３Ｇ−ＳＤＩ信号等のシリアルデジタル信号に変換して出力する。ＨＤ−ＳＤＩ、３Ｇ−ＳＤＩ信号は、ＳＭＰＴＥ（全米映画テレビジョン技術者協会）、ＡＲＩＢ（登録商標）（一般社団法人電波産業会）で規定されているＳＤＩ（シリアルデジタルインターフェース）規格である。
【００１７】
ＣＰＵ１０３は、撮像部１０１、映像信号処理部１０２、オンスクリーン生成部１０４、映像信号１出力部１０５、映像信号２出力部１０６、通信部１０７、操作部１０８と各々接続され、各部の設定や制御を行っている。
【００１８】
オンスクリーン生成部１０４は、操作部１０８、または、外部操作器２００で所定のスイッチ（不図示）を押下すると、ＣＰＵ１０３の制御に基づき、撮像装置１００の操作機能を表示する文字や記号、アイコン等のＯＳＤ情報を生成する。具体的には、文字、記号、アイコン等のビットマップデータ及びオンスクリーン表示する画面上の表示位置座標データが所定のフォーマットで映像信号処理部１０２へ送信（入力）される。
【００１９】
通信部１０７は、外部操作器２００で撮像装置１００のゲインやシャッター等を操作する指令信号（コマンド）をＲＳ−２３２ＣやＲＳ−４２２等の所定のファーマットで送受信するためのインタフェースである。また、外部操作器２００からの指令信号をＣＰＵ１０３と所定のフォーマットで送受信している。
【００２０】
操作部１０８は、撮像装置１００の操作を行うためのキースイッチや、タッチパネル等である。
【００２１】
次に、外部録画機器３００がどのように録画開始を実行するかについて説明する。
【００２２】
操作部１０８、または、外部操作器２００で所定の録画開始スイッチ（不図示）を押下すると、ＣＰＵ１０３は、映像信号１出力部１０５、映像信号２出力部１０６へ録画を開始する録画開始コマンド（録画開始指令）を重畳するように指令する。映像信号１出力部１０５、映像信号２出力部１０６は、録画開始コマンドをＳＭＰＴＥで規定されているＹ、または、ＣＢ/ＣＲデータ系列の補助データ多重可能領域の後述する（映像データ以外の領域の）所定の位置に重畳する。
【００２３】
図２に、本実施例の補助データパケット構造を示す。ＡＤＦ（補助データフラグ）、ＤＩＤ（データ識別ワード）、ＳＤＩＤ（第２データ識別ワード）、ＤＣ（データカウントワード）、ＵＤＷ（ユーザデータワード）、ＣＳ（チェックサムワード）から構成されている。ＡＤＦ、ＤＩＤ、ＳＤＩＤは、所定の値となっており、ＵＤＷは、１１ワードで構成している。
【００２４】
本実施例では、図２のように録画開始コマンドをＵＤＷの１１ワード目（以下、ＵＤＷ１０）のビット番号ｂ１を１にすることで、録画開始としている。また、ＵＤＷ１０のｂ１を０にすることで、録画停止としている。尚、本実施例では、ＳＭＰＴＥで規定されている第２形式の補助データパケット構造を使用しているが、第１形式の補助データパケット構造にしても構わない。
【００２５】
外部録画機器３００は、映像信号１出力部１０５から出力されるＳＤＩ信号の補助データパケットから、所定のＤＩＤ、ＳＤＩＤを検出し、ＵＤＷ１０のビット番号ｂ１が１の場合、録画を開始するようになっている。一方、ＵＤＷ１０のｂ１が０の場合、録画を停止する。
【００２６】
次に、撮像装置１００がオンスクリーン中にオンスクリーン映像を誤って録画してしまうことを防止するためのフローについて図３を用いて説明する。
【００２７】
操作部１０８、または、外部操作器２００から所定の録画開始スイッチが押下されると（ステップＳ１）、撮像装置１００のＣＰＵ１０３に所定の録画開始コマンドを送信する（ステップＳ２）。ＣＰＵ１０３が所定の録画開始コマンドを受信すると（ステップＳ３）、オンスクリーン表示有無を検出する（ステップＳ４）。オンスクリーン表示中の場合、ＣＰＵ１０３は、オンスクリーン生成部１０４にオンスクリーン表示を停止する指令信号を送信する（ステップＳ５）。オンスクリーン表示中でない場合は、ステップＳ７へ進む。オンスクリーン生成部１０４は、映像信号処理部１０２に送信していたＯＳＤ情報の送信を停止する（ステップＳ６）。次に、ＣＰＵ１０３は、映像信号１出力部１０５及び映像信号２出力部１０６へ録画開始コマンドを重畳するように指令信号を送信する（ステップＳ７）。映像信号１出力部１０５及び映像信号２出力部１０６は、補助データパケットのＵＤＷ１０のビット番号ｂ１を１にして所定のフォーマットで出力する（ステップＳ８）。最後に、外部録画機器３００は、補助データパケットの所定のＤＩＤ、ＳＤＩＤを検出し、ＵＤＷ１０のビット番号ｂ１が、１であるので録画を開始する（ステップＳ９）。
【００２８】
すなわち、録画機器での録画開始コマンドが入力された場合、映像信号処理部は、撮像部によって取得された映像信号に対して、撮像関連情報を重畳せず、映像信号出力部は、撮像関連情報が重畳されていない映像信号を、出力映像信号として録画機器に出力する。
【００２９】
以上説明してきたように、撮像装置１００は、オンスクリーン表示中に誤って録画開始コマンドを操作部１０８、または、外部操作器２００から受信しても、オンスクリーン表示を非表示にして、録画開始コマンドを所定のフォーマットに重畳して出力する。これにより、オンスクリーン表示中の映像を誤って録画することを防止することが可能となる。また、オンスクリーン中に、急遽録画開始が必要となった時、オンスクリーン表示を非表示にするため、操作部１０８、または、外部操作器２００の所定のスイッチを押下してオンスクリーンを非表示にする手間を省くことも可能である。
【実施例２】
【００３０】
実施例１では、外部操作器２００で所定の録画開始スイッチが押下されると、ＣＰＵ１０３は、オンスクリーン表示有無を判断し、オンスクリーン表示の時は、オンスクリーンを非表示にしていた。本実施例では、外部操作器２００で所定の録画開始スイッチが押下されると、撮像装置１００にオンスクリーン表示を非表示にするコマンドを送信後、録画開始コマンドを送信することが実施例１と異なる。
【００３１】
撮像装置１００の構成図は、実施例１の図１と同じなので説明は省略する。
【００３２】
図４は、外部操作器２００の構成図である。外部操作器２００は、操作部２０１、通信部２０２、ＣＰＵ２０３から構成されている。操作部２０１は、撮像装置１００、及び、外部操作器２００の操作を行うためのキースイッチや、タッチパネル等である。通信部２０２は、撮像装置１００とＲＳ−２３２ＣやＲＳ−４２２等の所定のファーマットで送受信するためのインタフェースである。ＣＰＵ２０３は、操作部２０１、通信部２０２と各々接続され、各部の設定や制御を行っている。
【００３３】
図５は、本実施例のフローチャート図である。
【００３４】
外部操作器２００の操作部２０１から所定の録画開始スイッチが押下されると（ステップＳ２１）、外部操作器２００のＣＰＵ２０３は、所定のオンスクリーン表示を中止するコマンドを通信部２０２を経由して撮像装置１００へ送信する（ステップＳ２２）。撮像装置１００は、所定のオンスクリーン表示を中止するコマンドを受信すると（ステップＳ２３）、ステップＳ２４、ステップＳ２５へ進む。ステップＳ２４、ステップＳ２５は、実施例１の図３フローチャートのステップＳ６、ステップＳ７と同じなので説明は省略する。次に外部操作器２００のＣＰＵ２０３は、録画開始コマンドを送信すると（ステップＳ２６）、撮像装置１００は、録画開始コマンドを受信する（ステップＳ２７）。その後は、ステップＳ２８〜Ｓ３０を実行する。ステップＳ２８〜Ｓ３０は、実施例１の図３フローチャートのステップＳ７〜ステップＳ９と同じなので説明は省略する。本実施例では外部操作器２００は、撮像装置１００が、オンスクリーン表示の有無にかかわらず録画開始スイッチが押下されるとオンスクリーン表示を中止するコマンドを最初に送信し、その後録画開始コマンドを送信している。撮像装置１００が、オンスクリーン表示中でない場合は、オンスクリーン表示を中止するコマンドを送信しないようにしても構わない。
【００３５】
以上説明してきたように、外部操作器２００は、録画開始スイッチを押下すると、最初にオンスクリーンを非表示にするコマンドを送信するため、誤ってオンスクリーン表示している映像を録画することを防止することが可能となる。
【実施例３】
【００３６】
実施例１では、撮像装置１００がオンスクリーン表示中に操作部１０８、または、外部操作器２００から録画開始コマンドを受信すると、オンスクリーン表示を非表示にして、外部録画機器３００に録画開始コマンドを送信していた。実施例３では、撮像装置１００がオンスクリーン中に録画開始コマンドを受信すると、メッセージを表示してユーザーにオンスクリーン表示中であることを注意喚起し、外部録画機器３００に録画コマンドを送信しないようにしている。実施例３の構成は、図１と同じであるので説明は省略する。
【００３７】
図６に本実施例のフローチャートを示す。
ステップＳ４１〜ステップＳ４４は、実施例１の図３フローチャートのステップＳ１〜ステップＳ４と同じなので説明は省略する。
【００３８】
ステップＳ４４でオンスクリーン表示中の場合、ＣＰＵ１０３は、オンスクリーン生成部１０４に図７のようなメッセージ画面を表示する指令信号を送信する（ステップＳ４５）。オンスクリーン生成部１０４は、メッセージ画面用ＯＳＤ情報を映像信号処理部１０２に送信する（ステップＳ４６）。ステップＳ４４でオンスクリーン表示中でない場合は、ステップＳ５０へ進む。操作部１０８、または、外部操作器２００から所定のスイッチが押下され（ステップＳ４７）、オンスクリーン映像を消去して録画する場合は、ステップＳ４９〜Ｓ５２へ進む。ステップＳ４９〜Ｓ５２は、実施例１の図３フローチャートのステップＳ６〜Ｓ９と同じなので説明は省略する。ステップＳ４８で操作部１０８、または、外部操作器２００から所定のスイッチが押下され、オンスクリーン映像をそのまま録画する場合は、メッセージ画面を表示する前のＯＳＤ情報を送信する（ステップＳ５３）（オンスクリーン表示を継続する）。その後は、ステップＳ５０〜Ｓ５２へ進む。
【００３９】
以上説明してきたように実施例３では、撮像装置１００がオンスクリーン表示中に誤って録画開始コマンドを操作部１０８、または、外部操作器２００から受信した場合、メッセージ画面を表示してユーザーに注意喚起を促し、追加の指令を要求する。これにより、オンスクリーン中に誤って録画を開始することを防止することが可能となる。また、オンスクリーン中に、ユーザーが意図的にオンスクリーン映像を録画することも可能である。
【実施例４】
【００４０】
実施例４は、撮像装置１００がオンスクリーン表示中に操作部１０８、または、外部操作器２００から録画開始コマンドを受信した時、オンスクリーン表示の内容によってオンスクリーン表示のまま、または、非表示にして外部録画機器３００に録画開始コマンドを送信する。この点において本実施例は実施例１〜３とは異なる。構成は、実施例１の図１と同じなので説明は省略する。
【００４１】
図８（ａ）、（ｂ）、（ｃ）、（ｄ）は、撮像映像にオンスクリーン表示した時の表示例である。（ａ）は、撮像装置１００のメインメニュの表示例である。（ｂ）は、撮像装置１００のカメラ設定メニュの表示例である。（ｃ）は、撮像装置１００の現在の設定状況を表示しているステータス画面の表示例である。（ｄ）は、現在の日時を表示している表示例である。
【００４２】
本実施例では、オンスクリーンの表示例（ａ）、（ｂ）の時は、オンスクリーン表示が撮像映像を遮蔽している面積が多く、ユーザーが誤って録画開始スイッチを押下してしまったと考えられる。よって、オンスクリーン表示を非表示にして録画開始コマンドを外部録画機器３００に送信する。一方、オンスクリーンの表示例（ｃ）、（ｄ）の時は、オンスクリーン表示による撮像映像の遮蔽面積が少なく、周辺のみオンスクリーン表示されているためユーザーが意図してオンスクリーン表示のまま録画したいと考えられる。よって、オンスクリーン表示のまま録画開始コマンドを外部録画機器３００に送信する。
【００４３】
図９に本実施例のフローチャートを示す。本実施例では、ステップＳ７０を入れた以外は、実施例１の図３フローチャートと同じである。ステップＳ７０で、ＣＰＵ１０３は、オンスクリーン表示されている映像の内容を判断し、表示内容に応じてオンスクリーン表示を中止するか、表示したままにするかを決定し、次のステップＳ６５、または、Ｓ６７に進む。図７でステップＳ６１〜ステップＳ６９は、実施例１の図３フローチャートのステップＳ１〜Ｓ９と同じなので説明は省略する。
【００４４】
以上説明してきたように実施例４では、撮像装置１００がオンスクリーン表示中に録画開始コマンドを操作部１０８、または、外部操作器２００から受信した場合、誤って録画開始コマンドを送信したのか、意図的に録画開始コマンドを送信したのかを判断している。これにより、オンスクリーン中に誤って録画を開始することを防止することが可能となる。
【実施例５】
【００４５】
実施例５は、撮像装置１００がオンスクリーン表示中に操作部１０８、または、外部操作器２００から録画開始コマンドを受信した時、オンスクリーン表示の内容によりオンスクリーン表示の可否を事前かつ個別に設定できる設定メニュ画面を新たに設ける。この点において本実施例は実施例４と異なる。構成は、実施例１の図１と同じなので説明は省略する。
【００４６】
図１０は、個別設定メニュの表示例である。操作部１０８、または、外部操作器２００から所定のボタンを押下して、オンスクリーン表示する内容ごとに個別に設定できるようになっている。
【００４７】
図１１に本実施例のフローチャートを示す。ステップＳ８１〜ステップＳ８９までは、実施例１の図３フローチャートのステップＳ１〜Ｓ９と同じなので説明は省略する。図１１のステップＳ９０で、ＣＰＵ１０３は、事前に設定されたオンスクリーン表示する内容ごとの個別設定に従いオンスクリーン表示しない場合、ステップＳ８５へ、オンスクリーン表示する場合は、ステップＳ８７へ進む。
【００４８】
以上説明してきたように実施例５では、撮像装置１００がオンスクリーン表示中に録画開始コマンドを操作部１０８、または、外部操作器２００から受信した場合、オンスクリーン表示/非表示を事前かつ個別に設定することが可能となる。これにより、オンスクリーン中にオンスクリーン映像を誤って録画開始することを防止することができる。
【００４９】
また、図１の構成例の映像信号１出力部１０５、映像信号２出力部１０６各々の出力に対して、オンスクリーン表示/非表示を事前かつ個別に設定することも可能となる。
【実施例６】
【００５０】
実施例６は、撮像装置１００がオンスクリーン表示中に操作部１０８、または、外部操作器２００から録画開始コマンドを受信した時、オンスクリーン表示を非表示にして、補助データパケットのＵＤＷに録画開始コマンドだけではなく、撮像装置１００の設定値も重畳する。この点において、本実施例は実施例１〜５と異なる。
【００５１】
具体的には図１２の補助データパケットのＵＤＷに、録画開始コマンド以外に、ゲイン、シャッター、ＮＤフィルタ、絞り、ズーム、フォーカス、日時等の値を重畳する。補助データパケットに重畳する撮像装置１００の設定値を設定メニュ画面を設けて事前に設定できるようにしても構わない。
【００５２】
以上のように、撮像装置１００は、オンスクリーン表示中に誤って録画開始コマンドを受信しても、オンスクリーン表示を非表示にして、録画開始コマンド及び撮像装置１００の設定値を所定のファーマットで重畳して出力する。これにより、オンスクリーン表示中の映像を誤って録画することを防止することが可能となる。また、撮像装置１００の設定状態を補助データパケットに重畳するため、後から、その映像が撮像された時の設定状態を確認することも可能である。
【００５３】
例示した実施例では、録画開始コマンドを受信した場合、映像信号処理部での処理で撮像関連情報を重畳しない処理を実行したが、本発明はこれに限定されることはない。録画開始コマンドを受信した場合、映像信号処理部を介さずに撮像部からの映像信号を録画機器に出力するようにしても本発明の効果を享受することができる。
【符号の説明】
【００５４】
１００  撮像装置
１０１  撮像部
１０２  映像信号処理部（映像処理部）
１０３  ＣＰＵ（制御部）
１０４  オンスクリーン生成部（生成部）
１０５  映像信号１出力部（出力部）
１０７  通信部（指令入力手段）
１０８  操作部（指令入力手段）
【図１】
0006666024.tif 000002
【図２】
0006666024.tif 000003
【図３】
0006666024.tif 000004
【図４】
0006666024.tif 000005
【図５】
0006666024.tif 000006
【図６】
0006666024.tif 000007
【図７】
0006666024.tif 000008
【図８】
0006666024.tif 000009
【図９】
0006666024.tif 000010
【図１０】
0006666024.tif 000011
【図１１】
0006666024.tif 000012
【図１２】
0006666024.tif 000013